(57)【要約】【課題】点滴液、血液のような非経口性流体の加温器において加温器本体へのカートリッジの装着性を改善する。【解決手段】加温器本体又はカートリッジのいずれか一方に設けた支点と他方に設けた支点に係合するフック部とを有し、前記支点とフック部を係合させた状態で支点を中心にカートリッジを旋回させて加温器本体にカートリッジを挿入する。そして加温器本体に設けたストッパでカートリッジを本体の所定の位置に固定する。支点とフック部の係合はフック部に楔形の開口を設けてあるので正確な位置合せを必要としない。また、支点とフック部が係合することで加温器本体とカートリッジの相対的な位置関係が規定されるので従来技術のように２ヶ所以上の位置決めピンへの位置合せに注意を払う必要が無く取付けが容易に行なえる。【選択図】　　　　図１
2004105599.tif 000002
【特許請求の範囲】
【請求項１】
点滴液、輸血液等の非経口性流体の加温器において、
加温器本体又はカートリッジのいずれか一方に設けた支点と、他方に設けた前記支点に係合する係合部とを有し、前記支点と係合部を係合させた状態で支点を中心にカートリッジを旋回させて加温器本体にカートリッジを挿入し、加温器本体に設けたストッパでカートリッジを本体の所定の位置に固定することを特徴とする加温器。
【請求項２】
点滴液、輸血液等の非経口性流体の加温器において、
スリット状の開口を有する加温器本体又は板状のカートリッジのいずれか一方に設けた支点と、他方に設けた支点に係合する係合部とを有し、前記支点と係合部を係合させた状態で支点を中心に板状のカートリッジを旋回させて加温器本体のスリット状の開口部にカートリッジを挿入して、加温器本体に設けたストッパでカートリッジを加温器本体の所定の位置に固定した後、加温器本体に設けた加熱板をカートリッジに密着させることを特徴とする加温器。
【請求項３】
前記係合部が半円状の頂点から楔形に開口した切欠を有するフック部であることを特徴とする請求項１又は２記載の加温器。
【請求項４】
前記支点が加温器本体に設けたガイドピンであり、係合部がカートリッジに設けられたフック部であることを特徴とする請求項１又は２記載の加温器。
【請求項５】
前記加温器本体に設けたストッパがボールプランジャであることを特徴とする請求項１又は２記載の加温器。
【発明の詳細な説明】
【０００１】
【発明が属する技術分野】
本発明は点滴液、血液のような非経口性流体の加温器において加温器本体へのカートリッジの装着性を改善した加温器に関する。
【０００２】
【従来の技術】
血液、及びその他の非経口的流体は、鮮度及び活性を保つため、一般に約４℃の低温で貯蔵される。かかる流体を患者に注入する前には患者の苦痛、肉体的負担を軽減するために流入する液体の温度を患者の体温に近い３６℃乃至３８℃に上げることが一般に行なわれる。
ここで患者への輸血は病院内で手術中に行なわれる他、患者を病院まで搬送する救急車両内でも行なわれることがある。このような緊急を要する場合には輸血を行なう看護士は患者の容態、例えば患部の状態、血圧、脈拍数等多くの事に注意を払う必要がある。そこで加温器は看護士に負担がかからないよう操作が極力容易である事が望ましい。
また、救急車両が病院に到着した際や、病室で患者の容態が急変した場合など点滴を継続したまま患者を手術室等に搬送する必要がある。この場合に加温器は搬送の邪魔にならない構成である必要がある。
【０００３】
これに対し従来の加温器は軟質プラスチック材料、例えば軟質の塩化ビニール等のシートを少なくとも２枚重ねて、液体の流路の輪郭となる部分をシールすることによって形成されるバッグが用いられていた。ビニールシートのバッグは柔軟であり加温器本体への取り付け性は考慮されておらず操作性はかなり悪いものが多かった（例えば、特許文献１−３参照。）。
【０００４】
近年、加温器の操作性の改善が考慮され始め、血液の流路となる熱交換部をビニールシートのバッグに代わり剛性の高いカートリッジとする事が検討されている（例えば、特許文献４−５参照。）。ここでは特許文献４に開示され、その発明に基きＡＭＴ社より市販されているＭＡＸ　ＯＮＥ　ＩＶ　ＷＡＲＭＥＲを図１０に示す。この加温器ではカートリッジ２はポリカーボネート等の樹脂で形成した板状のスペーサ部材の両面にポリカーボネート等の樹脂フィルムを貼り付けた構造である。カートリッジ２は幅５１ｍｍ、厚さ４ｍｍ、長さ２００ｍｍ程度の略長方形状で一対の短辺にはカテーテルを接続し血液を流入、又は流出させる接続部を有するものである。このカートリッジ２ではスペーサ部材が剛性を有しているので形状が安定し、カートリッジ２を容易に取り扱うことができる。
加温器本体１は上面が開口したカートリッジ収容室を有する長方形状のケース体３と、その上面側に一方の長辺をヒンジによりケース体に係合し開閉可能に連結された蓋体４より構成される。そしてヒンジにより係合された長辺の反対側にはケース体３にスライド可能な突起が、蓋体４にはフックが設けられ、両者が係合することで蓋体４が閉じられる。
【０００５】
この加温器は、外形が幅６５ｍｍ、厚さ５０ｍｍ、長さ２４０ｍｍ程度の略直方体のコンパクトなものである。そのため救急車両、手術室等にそれぞれ加温器本体を設けることも可能である。
従ってこの加温器では輸血を継続したまま患者を手術室等に搬送する必要がある場合に、加温器本体１からカートリッジ２をとり外しカテーテルに接続したまま患者と共に搬送することがでる。そして手術室等に到着次第、手術室等に設置された加温機本体１にカートリッジ２を取付けて血液の加温を再開することができる。
【０００６】
【特許文献１】
特開昭６１−１１５５７６号公報　（第３項、第３図）
【特許文献２】
実開平０７−０２１０５７号公報　（第１−２項、第１−２図）
【特許文献３】
特表２０００−５０２９３８号公報　（第９−１４項、第６図）
【特許文献４】
米国特許第６３３６００３号明細書　（第１０−１２項、第３図、第８図）
【特許文献５】
米国特許第４８４７４７０号明細書　（第６−７項、第１−２図）
【０００７】
【発明が解決しようとする課題】
しかしながら、従来のカートリッジタイプの加温器においてもその操作性に以下のような問題点があった。例えばカートリッジ２を加温器本体１に取付ける際にはまずケース体３を片手で支持し、もう一方の手でカートリッジ２をケース体３に設けた２ヶ所以上の位置決めピン５に位置合せして挿入し、その後に蓋体４を閉めてカートリッジ２の取付けを行なう必要があった。従ってカートリッジ２を加温器本体１に取付ける際には両手で作業を行なう必要があり、緊急を要する医療現場ではカートリッジ２の加温器本体１への取付けは煩雑な作業であった。
特にカートリッジ２にカテーテルが接続されている状態ではカテーテルが静脈点滴用バッグを吊るすためのフックを備えた枢動型の静脈点滴用ポール（以下、ＩＶポール）やベッドに引っ掛かる等のためにカートリッジが引っ張られる等の問題があった。この場合には位置合せがより煩雑となり、時にはカートリッジ２の取付けを中止して引っ掛かりを除いて再度取付け作業を行なうか、他の看護士の助けを求める必要も生じた。このような問題は一刻を争う緊急医療の現場では重大な問題となり得るものであった。
【０００８】
本発明はこのような問題点を解決するためのものであり、加温器本体へのカートリッジの装着性を改善した加温器を得ることを目的とする。
【０００９】
【課題を解決するための手段】
請求項１に記載された加温器は点滴液、輸血液等の非経口性流体の加温器において、
加温器本体又はカートリッジのいずれか一方に設けた支点と、他方に設けた前記支点に係合する係合部とを有し、前記支点と係合部を係合させた状態で支点を中心にカートリッジを旋回させて加温器本体にカートリッジを挿入し、加温器本体に設けたストッパでカートリッジを本体の所定の位置に固定することを特徴としている。
【００１０】
請求項２に記載された加温器は点滴液、輸血液等の非経口性流体の加温器において、
スリット状の開口を有する加温器本体又は板状のカートリッジのいずれか一方に設けた支点と、他方に設けた前記支点に係合する係合部とを有し、前記支点と係合部を係合させた状態で支点を中心に板状のカートリッジを旋回させて加温器本体のスリット状の開口部にカートリッジを挿入して、加温器本体に設けたストッパでカートリッジを加温器本体の所定の位置に固定した後、加温器本体に設けた加熱板をカートリッジに密着させることを特徴としている。
【００１１】
請求項３に記載された加温器は請求項１又は請求項２に記載の加温器において、
前記係合部が半円状の頂点から楔形に開口した切欠を有するフック部であることを特徴としている。
【００１２】
請求項４に記載された加温器は請求項１又は請求項２に記載の加温器において、
前記支点が加温器本体に設けたガイドピンであり、係合部がカートリッジに設けられたフック部であることを特徴としている。
【００１３】
請求項５に記載された加温器は請求項１又は請求項２に記載の加温器において、
前記加温器本体に設けたストッパがボールプランジャであることを特徴としている。
【００１４】
【発明の実施の形態】
本発明の実施の形態に係る加温器の外形図を図１に示す。図１において加温器本体１はコーナー部に丸みを付けた略直方体状であり、開閉可能に連結されたケース体３と蓋体４より構成される。加温器本体１は高さ２５０ｍｍ、幅１１０ｍｍで、ケース体３の厚さ４０ｍｍ、蓋体４の厚さ３０ｍｍ程度である。蓋体４を閉じた際にケース体３と蓋体４が対面する内表面は端部を除いてそれぞれ加熱板１１で覆われる。加温器本体１の長さ方向の一端でケース体３の内表面の加熱板１１の外側位置にはケース体内表面に対し垂直に樹脂製又は金属製のガイドピン１２が設けられる。また、長さ方向の他端で蓋体４の内表面の加熱板外側にはボールプランジャ１３が設けられる。
【００１５】
加温器本体１のケース体３背面にはクランプ機構１４が設けられており、加温器本体１は当該機構を動作させてＩＶポール２００に固定される。ここでケース体３、蓋体４は一般的にはそれぞれ樹脂の射出成形により形成され、加熱板１１には熱伝導性を考慮して銅板等の金属板が用いられる。
尚、図１ではカートリッジ２がケース体３に対し使用時の位置関係、具体的にはガイドピン１２にカートリッジ２のフック部２６が係合し、ケース体３の加熱板１１にカートリッジ２が密着した位置に組合わせた状態で示してある。実際の使用時には蓋体４が閉じられ、蓋体４の加熱板１１にカートリッジ２が密着して使用される。
尚、以下では加温器本体１とカートリッジ２を組合わせたものを加温器１００とする。
【００１６】
図２に加温器本体１の蓋体４を閉じた状態を示す。上面図（ｂ）から明らかなようにケース体３と蓋体４は連結部１５に近い一部を除いて密着せず、ケース体３と蓋体４は２．５ｍｍ程度の間隔を隔ててスリット状の空間を形成する。また、ケース体３のガイドピン１２はスリット状の空間を横切るよう伸び蓋体４に当接する。正面図（ａ）において蓋体４の表面には加熱設定温度等を表示する表示部１６、ガイドピン位置の目印となる矢印型のマーク１７が設けられる。また、側面図（ｃ）においてケース体３の長辺側面で連結部の反対端には上下方向の中央付近にレバー１８が設けられる。
【００１７】
尚、加温器本体１は通常は図２に示すように蓋体４を閉じたままの状態で使用するよう設計されている。図１に示すように蓋体４を開くのはクリーニング等のメンテナンス時のみである。
また、ここでは図示しないがケース体３、蓋体４の加熱板１１の背後には電熱ヒータが設けられ、加熱板１１の所定の位置には温度センサが配置され、ケース体の内部にはレバー１８の動作に連動する加熱板の移動機構、電源回路、制御部が納められている。また、ケース体３裏面側には電源コードが接続される。
【００１８】
図３にカートリッジ２の外形図を示す。カートリッジ２は長さ２３０ｍｍ、幅８０ｍｍ、厚さ２ｍｍ程度の板状であり、ポリカーボネート等の樹脂で形成した板状のスペーサ部材２１の両面にポリカーボネート等の樹脂フィルム２２を貼り付けた構造である。スペーサ部材２１は長方形状の枠体で、その一対の短辺にはそれぞれ血液の流入と流出のための開口を有し、当該開口は長方形状の枠体の外側に設けられたカテーテルとの流入側接続部２３、流出側接続部２４に連通する。また、一対の長辺には枠と同じ厚さの流路仕切り２５が櫛歯状に一方の長辺の内壁から他方の長辺の内壁近くまで交互に伸長して、流体通路を分離し且つ効果的に長さを延長させる。ポリカーボネート等の樹脂フィルム２２は予めスペーサ部材２１の流路を覆うように流路に対応する外形に切断され、熱溶着等の方法でスペーサ部材２１の両面に接合される。そしてスペーサ部材２１と樹脂フィルム２２で囲まれた血液の流路が形成される。
カートリッジの流入側接続部２３の側方には半円状の頂点からカートリッジの長手方向に対し垂直方向若しくは垂直方向からやや流出側方向に楔形に開口した切欠を有するフック部２６が設けられる。またカートリッジの流出側接続部２４の側方には貫通穴２７が設けられる。
【００１９】
本発明に係る加温器１００のカートリッジ装着手順を図４、５に基づいて説明する。ここで図４で外観上の位置関係を示し、図５（ａ）、（ｂ）では加温器本体１とカートリッジ２の装着状態を明示するためケース体３とカートリッジ２の位置関係のみを示す。図４において加温器本体１はガイドピン１２を上側、スリットの開口部を右側にした状態で裏面のクランプ機構１４を動作させて垂直に立てたＩＶポール２００に固定される。カートリッジ２はフック部２６が上側に来る向きとし、上下のカテーテル接続部２３、２４にはカテーテル３００が接続されている。そしてカートリッジ下部の流出側接続部２４付近を手で保持する。
次に図５（ａ）において、まず加温器本体１のスリット上部にカートリッジ２を挿入する。そしてカートリッジ２のフック部２６を加温器本体１のガイドピン１２に接近する様にカートリッジ２の流出側接続部２４付近を中心にカートリッジ２を傾ける。そして、カートリッジ２のフック部２６をガイドピン１２に係合させる。この際にはカートリッジ２のフック部２６が楔形に開口しているため、正確な位置合せを要することなく両者を係合できる。更に、図示しない加温器本体１正面の矢印１７をガイドピン位置の目印とすることができる。
次に図５（ｂ）においてガイドピン１２とフック部２６の係合状態を維持したまま、ガイドピン１２を支点としてカートリッジ２の下側を加温器本体１のスリットに挿入する方向に旋回する。そしてカートリッジの流出側接続部２４側方の貫通穴２７にボールプランジャ１３が係合して加温器本体１に対するカートリッジ２の位置決めが完了する。
そしてレバー１８を垂直位置から水平位置に旋回させると、それに連動して加熱板１１がカートリッジ２に密着する。これにより加熱時には加熱板１１からカートリッジ２への熱伝導が安定し、カートリッジ２内を通過する血液が均一に所定温度まで加熱される。
【００２０】
本発明に係る加温器１００の第２の実施例を図６、７に基づいて説明する。なお、以下の各実施例の説明において、前記第１実施例と対応する部分には同一符号を付し、第１実施例と同様の部分については説明を省く。図６に第２の実施例における加温器本体１の構造を示す。正面図（ａ）に示すようにケース体３及び蓋体４の内表面には上記実施例１のガイドピン位置に相当する位置に内表面に垂直に円筒状の窪み３１が設けられ、当該窪み３１を頂点として上方に楔状に開口したテーパー部３２が設けてある。ここで側面図（ｃ）に示すテーパー部３２の内表面からの深さは、前記円筒状の窪みと同じ深さとするか、若しくは楔の開口に連れて円筒状の窪みより深くして、テーパー部３２におけるケース体３と蓋体４の間隔を広げても良い。図７に第２の実施例におけるカートリッジ２の構造を示す。ここでカートリッジの流入側接続部２３の側方には上記第１の実施例の半円状の切欠きに相当する位置にガイドピン４１が設けてある。従って第２の実施例では第１の実施例と同様の操作により加温器本体１の円筒状の窪み３１にカートリッジ２のガイドピン４１を係合させ、その後は円筒状の窪み３１とカートリッジ２のガイドピン４１を支点として第１の実施例と同様の操作により加温器本体１へのカートリッジ２の取付け作業を容易に行なうことができる。
カートリッジ２のガイドピン４１はスペーサ部材２１を成形する際に一体に形成することが望ましいが、金属製、プラスチック製のロッドを圧入又は接着する等の方法で形成しても良い。
【００２１】
本発明に係る加温器１００の第３の実施例を説明する。第３の実施例の加温器本体１は第１の実施例と同様の構造であるが、カートリッジの構造が異なるものである。次に図８に第３の実施例におけるカートリッジ２の構造を具体的に示す。ここでカートリッジの流入側接続部２３の側方には半円状の頂点からカートリッジの長手方向に対し平行に流入側に向けて楔状に開口した切欠きを有するフック部５１が設けられる。
本実施例ではまず、加温器本体１のスリット上部にカートリッジ２を挿入しカートリッジのフック部５１を加温器本体１のガイドピン１２に接近する様にカートリッジ２の流出側接続部２４付近を中心にカートリッジ２を傾ける。そして、カートリッジ２のフック部５１をガイドピン１２に下側から斜め上方に押し当てて係合させる。この際、加温器本体１正面の矢印１７をガイドピン位置の目印とすることができる。
次にガイドピン１２とフック部５１の係合状態を維持したまま、ガイドピン１２を支点としてカートリッジ２の流出側を加温器本体１のスリットに挿入する方向に旋回する。そしてカートリッジの流出側の接続部２４側方の貫通穴２７にボールプランジャ１３が係合して加温器本体１に対するカートリッジ２の位置決めが完了する。
【００２２】
次に本発明に係る加温器１００の第４の実施例を説明する。第４の実施例は第３の実施例でカートリッジを装着する際に支点となる位置が下方に設けられた場合である。具体的には第４の実施例では加温器本体１は第３の実施例においてボールプランジャ１３に相当する位置にガイドピン１２を設け、また、ガイドピン１２に相当する位置にボールプランジャ１３を設けたものである。ここで蓋体４正面の矢印１７もガイドピン位置に合せ位置を変更する。
図９に第４の実施例におけるカートリッジ２の構造を具体的に示す。ここでカートリッジ２の流入側接続部２３の側方には貫通穴６１が設けられ、流出側接続部２４の側方には半円状の頂点からカートリッジの長手方向に平行に流出側に向けて楔状に開口した切欠きを有するフック部６２が設けられる。
本実施例では、カートリッジ２の流入側接続部２３付近を手で保持し、加温器本体１のスリット下部にカートリッジ２を挿入し、カートリッジ２のフック部６２を加温器本体１のガイドピン１２に接近する様にカートリッジ２の流入側接続部２３付近を中心にカートリッジ２を傾ける。そして、カートリッジ２のフック部６２をガイドピン１２に押し当てて係合させる。この際も本体正面の矢印１７をガイドピン位置の目印とすることができる。次にガイドピン１２とフック部６２の係合状態を維持したまま、ガイドピン１２を支点としてカートリッジ６２の流入側を加温器本体１のスリットに挿入する方向に旋回する。そしてカートリッジの流入側の接続部２３側方の貫通穴６１にボールプランジャ１３が係合して加温器本体１に対するカートリッジ２の位置決めが完了する。
【００２３】
以上の実施例ではカートリッジ２の固定はボールプランジャ１３により行なうこととしたが、カートリッジ２の固定方法はこれに限らず以下に示すような一般的な固定機構を採用することも可能である。例えばボールプランジャ１３の代わりに本体のレバー操作に連動してケース体３の内表面内から突出するストッパピンを設けても良い。
またカートリッジ２を外形固定するため、加温器本体１にカートリッジ２の旋回方向の限度を規定するカートリッジ２の長辺側面に当接するストッパ部を設け、加温器本体１のレバー１８をスリットに対し直交する位置に操作した際に当該ストッパ部とレバー１８でカートリッジ２の幅方向を押さえ込むようにしても良い。
【００２４】
【発明の効果】
本発明の加温器は加温器本体又はカートリッジのいずれか一方に設けた支点と他方に設けた支点に係合するフック部とを有し、前記支点とフック部を係合させた状態で支点を中心にカートリッジを旋回させて加温器本体にカートリッジを挿入し、加温器本体に設けたストッパでカートリッジを本体の所定の位置に固定するようにしたので加温器本体へのカートリッジの取付け作業が極めて容易に行なえる。
支点とフック部の係合はフック部に楔形の開口を設けてあるので正確な位置合せを必要としない。また、支点とフック部が係合することで加温器本体とカートリッジの相対的な位置関係が規定されるので従来技術のように２ヶ所以上の位置決めピンへの位置合せに注意を払う必要が無い。
カートリッジにカテーテルが接続されている状態でカテーテルがＩＶポールやベッドに引っ掛かる等のためにカートリッジが引っ張られる等の問題が生じたとしても片手でカートリッジを保持したまま、他方の手でカテーテルの引っ掛かりを解くことができる。従って看護士が一人で迅速に対応が可能であり緊急医療の現場で簡易且つ迅速な作業が実現できる。
【図面の簡単な説明】
【図１】本発明の加温器の第１実施例を示す加温器の外形図である。
【図２】本発明の第１実施例に係る加温器本体の正面図（ａ）、および上面図（ｂ）、および側面図（ｃ）である。
【図３】本発明の第１実施例に係るカートリッジの正面図（ａ）、および上面図（ｂ）、および側面図（ｃ）である。
【図４】本発明の第１実施例に係る加温器本体へのカートリッジの装着手順を示す外形図である。
【図５】本発明の第１実施例に係る加温器本体へのカートリッジの装着手順を示す中間手順図（ａ）、および最終手順図（ｂ）である。
【図６】本発明の第２実施例に係る加温器本体の正面図（ａ）、および上面図（ｂ）、および側面図（ｃ）である。
【図７】本発明の第２実施例に係るカートリッジの正面図（ａ）、および上面図（ｂ）、および側面図（ｃ）である。
【図８】本発明の第３実施例に係るカートリッジの正面図（ａ）、および上面図（ｂ）、および側面図（ｃ）である。
【図９】本発明の第４実施例に係るカートリッジの正面図（ａ）、および上面図（ｂ）、および側面図（ｃ）である。
【図１０】従来技術の加温器の外形図である。
【符号の説明】
１　　加温器本体
２　　カートリッジ
３　　ケース体
４　　蓋体
１１　加熱板
１２　ガイドピン
１３　ボールプランジャ
１４　クランプ機構
１５　連結部
１６　表示部
１７　矢印型のマーク
１８　レバー
２１　スペーサ部材
２２　樹脂フィルム
２３　流入側接続部
２４　流出側接続部
２５　流路仕切り
２６　フック部
２７　貫通穴
３１　円筒状の窪み
３２　テーパー部
４１　ガイドピン
５１　フック部
６１　貫通穴
６２　フック部
１００　加温器
２００　ＩＶポール
３００　カテーテル
【図１】
2004105599.tif 000003
【図２】
2004105599.tif 000004
【図３】
2004105599.tif 000005
【図４】
2004105599.tif 000006
【図５】
2004105599.tif 000007
【図６】
2004105599.tif 000008
【図７】
2004105599.tif 000009
【図８】
2004105599.tif 000010
【図９】
2004105599.tif 000011
【図１０】
2004105599.tif 000012